(57)【特許請求の範囲】
【請求項１】
食品が入ったままのレトルトパウチの端部を挟んで熱湯内からの取出し等を行うためのはさみ具であって、
前記レトルトパウチの端部を受ける受承部と、この受承部内に入り込むかまたは前記受承部の外側に位置することにより、前記レトルトパウチの端部の前記受承部に対する挟み込みを行う挟み込み部とを備え、
これらの挟み込み部及び受承部を一対のハンドルにそれぞれ一体化して、これらのハンドルを開閉することにより、前記レトルトパウチの端部の挟み込み操作が行えるようにし、
さらに、前記各ハンドルを一本の線材を折曲することにより、手の中に入る操作部と、これら各操作部の両端から延出する左右一対のアーム部とを備えた略コ字状のものとし、かつこれら各ハンドルを前記各アーム部の一部にて前記操作部と略平行な枢軸により枢着して開閉自在なものとし、
一方のハンドルの各アーム部の先端を略環状に折曲することによりこのアーム部と略直交する前記受承部を形成するとともに、
他方のハンドルにおける各アーム部の先端を折曲することにより、前記環状の受承部内に回動して入り込む前記挟み込み部を一体的に形成したことを特徴とするはさみ具。
【請求項２】
食品が入ったままのレトルトパウチの端部を挟んで熱湯内からの取出し等を行うためのはさみ具であって、
前記レトルトパウチの端部を受ける受承部と、この受承部内に入り込むかまたは前記受承部の外側に位置することにより、前記レトルトパウチの端部の前記受承部に対する挟み込みを行う挟み込み部とを備え、
これらの挟み込み部及び受承部を一対のハンドルにそれぞれ一体化して、これらのハンドルを開閉することにより、前記レトルトパウチの端部の挟み込み操作が行えるようにし、
さらに、前記各ハンドルを、手指が掛けられる操作部と、この操作部の両端から延出するアーム部とを備えたものとし、かつ一方のハンドルの操作部の両端側面に前記アーム部の延出方向と平行な案内溝をそれぞれ形成し、これらの案内溝内に他方のハンドルの各アーム部を摺動可能に係合させることにより、前記両ハンドルの開閉自在なものとし、
各ハンドルを構成しているアーム部の先端に、両ハンドルが開放されたときまたは閉じられたときに互いに当接し合う挟み片を一体化するとともに、これら各挟み片の各当接面に、凹部とこれに嵌合し得る凸部とを形成して、これらの凹部及び凸部を前記受承部及び挟み込み部としたことを特徴とするはさみ具。
【請求項３】
食品が入ったままのレトルトパウチの端部を挟んで熱湯内からの取出し等を行うためのはさみ具であって、
前記レトルトパウチの端部を受ける受承部と、この受承部内に入り込むかまたは前記受承部の外側に位置することにより、前記レトルトパウチの端部の前記受承部に対する挟み込みを行う挟み込み部とを備え、
これらの挟み込み部及び受承部を一対のハンドルにそれぞれ一体化して、これらのハンドルを開閉することにより、前記レトルトパウチの端部の挟み込み操作が行えるようにし、
さらに、前記一方のハンドルを、略環状の操作部と、この操作部の下端から一体的に突出するアーム部とを有したものとし、
前記他方のハンドルを、前記一方のハンドル側の操作部に対して摺動自在に組付けられる操作部と、この操作部の下端に一体化されて前記一方のハンドル側の操作部から突出するアーム部とを有したものとして、
前記一方のハンドル側のアーム部の先端に、前記受承部または挟み込み部を一体的に形成するとともに、これらに対向する挟み込み部又は受承部を、前記他方のハンドル側のアーム部の先端に一体的に形成したことを特徴とするはさみ具。
【請求項４】
前記両ハンドル間に、前記受承部及び挟み込み部間の自然開放または強制閉止を行うための弾発手段を介在させたことを特徴とする請求項１〜請求項３のいずれかに記載のはさみ具。
【発明の詳細な説明】
【０００１】
【発明の属する技術分野】
本発明は、手動工具の技術分野に属するものであり、特にレトルトパウチによって包装したレトルト食品を安全かつ安心して取り出すことのできるはさみ具に関するものである。
【０００２】
【従来の技術】
近年においては、予め調理がなされた食品が種々販売されており、特にカレーやおかゆにあっては、光も空気も通さないレトルトパウチと言われる袋内に詰められ、レトルトと言われる蒸気がまにて圧力をかけて高温で殺菌される所謂レトルトパウチ食品として販売されてきている。このようなレトルトパウチ食品は、防腐剤や保存料などを使わずに、室温での長期保存ができることから、非常に有用なものとなってきているものである。
【０００３】
以上のようなレトルトパウチ食品は、室温のままの温度で食されることは稀で、通常は熱湯の中にパウチ、つまり容器毎入れて加熱されるものであり、加熱後にパウチを破ったり切ったりして中味であるカレー等の食品を取り出すことがなされている。なお、レトルトパウチは、アルミ箔の層によって光を通さないようにしてあることが多いから、レトルトパウチ食品を電子レンジで直接暖めることはなされない。
【０００４】
従って、この種のレトルトパウチ食品をおいしい状態で食そうと思えば、熱湯の中からレトルトパウチを取り出さなければならないし、またこのレトルトパウチを熱いうちに破るか切るかして中の食品を取り出さなければならない。このため、出願人等は、図１０に示すように、ピンセットを大型化したようなはさみ具を案出して、これによるレトルトパウチの取り出しを行ってみた。
【０００５】
ところが、図１０に示したようなはさみ具であると、通常の人でも、レトルトパウチの挟み込み操作及び熱湯からの取り出し操作には力を相当入れなければできないことが判明した。何故なら、この種のレトルトパウチ食品は、例えばカレーのみでも２１０ｇ程度あり、おかゆであれば２５０ｇ程度もあって、それ自体が結構重量のあるものであるし、またレトルトパウチは外圧やショック等から保護するために、表面がポリエステルフィルム等の滑り易い材料によって形成してあるからである。
【０００６】
また、図１０に示したはさみ具では、その先端部分に滑り止めを果たすギザギザを付けてあるが、このギザギザによる滑り止めを十分果たそうとすると、そのアーム部を手指でしっかりと押さえていなければならないから、結構長い時間力を入れていなければならず、特に力の弱い子供や老人ではその使用が殆ど困難になっている。仮りに、熱湯中からのレトルトパウチ食品の取り出しができたとしても、今度は熱いままのレトルトパウチの破断または切断作業をしなければならない。
【０００７】
このレトルトパウチの破断は、これに予め入れられている切口を利用してこれを引き裂くことによりなされるのであるが、この切口が作業のし易い側（例えば上側）になければレトルトパウチのはさみ具による持ち換えを行わなければならない。そして、破断作業そのものは、レトルトパウチを片方の手で挟み込む状態を維持したはさみ具で持ったままにしておいて、もう一方の手で引き裂きをしなければならないが、このとき、レトルトパウチにこれをはさみ具から引き離すような力を加えなければならないから、はさみ具はしっかりと持っていなければならない。また、このレトルトパウチの切断は、これを片方の手で持ったはさみ具によりしっかりと保持しながら、別の手でハサミを使用してなされる。いずれにしても、このレトルトパウチの破断または切断は、これをしっかりと保持しながら行わなければならないから、力の弱い老人や子供には従来のはさみ具ではレトルトパウチの安全でかつ安心できる取り扱いは困難であった。
【０００８】
そこで、本発明者は、老人や子供のように力の弱い人であっても、レトルトパウチの安全でかつ安心できる取り扱いができるようにするにはどうしたらよいかについて種々検討を重ねてきた結果、本発明を完成したのである。
【０００９】
【発明が解決しようとする課題】
本発明は、以上のような経緯に基づいてなされたもので、その解決しようとする課題は、老人や子供のような力の弱い人であっても、熱くて重量のあるレトルトパウチの取り扱いを安全かつ安心して行えるようにすることである。
【００１０】
【課題を解決するための手段】
以上の課題を解決するために、まず請求項１に係る発明の採った手段は、実施形態の説明中において使用する符号を付して説明すると、
「食品が入ったままのレトルトパウチ２００の端部を挟んで熱湯内からの取出し等を行うためのはさみ具１００であって、
レトルトパウチ２００の端部を受ける受承部３０と、この受承部３０内に入り込むかまたは受承部３０の外側に位置することにより、レトルトパウチ２００の端部の受承部３０に対する挟み込みを行う挟み込み部４０とを備え、
これらの挟み込み部４０及び受承部３０を一対のハンドル１０・２０にそれぞれ一体化して、これらのハンドル１０・２０を開閉することにより、レトルトパウチ２００の端部の挟み込み操作が行えるようにし、
さらに、各ハンドル１０・２０を一本の線材１０ａ・２０ａを折曲することにより、手の中に入る操作部１１・２１と、これら各操作部１１・２１の両端から延出する左右一対のアーム部１２・２２とを備えた略コ字状のものとし、かつこれら各ハンドル１０・２０を各アーム部１２・２２の一部にて操作部１１・２１と略平行な枢軸５０により枢着して開閉自在なものとし、
一方のハンドル１０の各アーム部１２の先端を略環状に折曲することによりこのアーム部２０と略直交する受承部３０を形成するとともに、
他方のハンドル２０における各アーム部２２の先端を折曲することにより、環状の受承部３０内に回動して入り込む挟み込み部４０を一体的に形成したことを特徴とするはさみ具１００」
である。
【００１１】
（削除）
【００１２】
（削除）
【００１３】
また、同様に、具体的実施形態の二番目は、請求項２において示したように、
「食品が入ったままのレトルトパウチ２００の端部を挟んで熱湯内からの取出し等を行うためのはさみ具１００であって、
レトルトパウチ２００の端部を受ける受承部３０と、この受承部３０内に入り込むかまたは受承部３０の外側に位置することにより、レトルトパウチ２００の端部の受承部３０に対する挟み込みを行う挟み込み部４０とを備え、
これらの挟み込み部４０及び受承部３０を一対のハンドル１０・２０にそれぞれ一体化して、これらのハンドル１０・２０を開閉することにより、レトルトパウチ２００の端部の挟み込み操作が行えるようにし、
さらに、各ハンドル１０・２０を、手指が掛けられる操作部１１・２１と、この操作部１１・２１の両端から延出するアーム部１２・２２とを備えたものとし、かつ一方のハンドル１０の操作部１１の両端側面にアーム部１２の延出方向と平行な案内溝１３をそれぞれ形成し、これらの案内溝１３内に他方のハンドル２０の各アーム部２２を摺動可能に係合させることにより、両ハンドル１０・２０の開閉自在なものとし、
各ハンドル１０・２０を構成しているアーム部１２・２２の先端に、両ハンドル１０・２０が開放されたときまたは閉じられたときに互いに当接し合う挟み片６０を一体化するとともに、これら各挟み片６０の各当接面に、凹部とこれに嵌合し得る凸部とを形成して、これらの凹部及び凸部を受承部３０及び挟み込み部４０としたこと」
であり、具体的実施形態の三番目は、請求項３において示したように、
「食品が入ったままのレトルトパウチ２００の端部を挟んで熱湯内からの取出し等を行うためのはさみ具１００であって、
レトルトパウチ２００の端部を受ける受承部３０と、この受承部３０内に入り込むかまたは受承部３０の外側に位置することにより、レトルトパウチ２００の端部の受承部３０に対する挟み込みを行う挟み込み部４０とを備え、
これらの挟み込み部４０及び受承部３０を一対のハンドル１０・２０にそれぞれ一体化して、これらのハンドル１０・２０を開閉することにより、レトルトパウチ２００の端部の挟み込み操作が行えるようにし、
さらに、一方のハンドル１０を、略環状の操作部１１と、この操作部１１の下端から一体的に突出するアーム部１２とを有したものとし、
他方のハンドル２０を、一方のハンドル１０側の操作部１１に対して摺動自在に組付けられる操作部２１と、この操作部２１の下端に一体化されて一方のハンドル１０側の操作部１１から突出するアーム部２２とを有したものとして、
一方のハンドル１０側のアーム部１２の先端に、受承部３０または挟み込み部４０を一体的に形成するとともに、これらに対向する挟み込み部４０又は受承部３０を、他方のハンドル２０側のアーム部２２の先端に一体的に形成したこと」
である。
【００１４】
そして、以上のように構成した各はさみ具１００については、請求項４に示すように、
「両ハンドル１０・２０間に、受承部３０及び挟み込み部４０間の自然開放または強制閉止を行うための弾発手段７０を介在させ」
ることにより、より一層効果的なものとされるのである。
【００１５】
【発明の実施の形態】
次に、図面を参照して、各請求項に係る発明を具体的に説明する。
【００１６】
（請求項１に係るはさみ具１００について）
図１及び図２には、請求項１に係るはさみ具１００が示してあり、このはさみ具１００は、一本の線材１０ａ及び線材２０ａをそれぞれ略コ字状に折曲して形成した一対のハンドル１０・２０を枢軸５０によって開閉自在に連結して構成したものである。そして、各ハンドル１０・２０は、図２に示したように、手の中に入る操作部１１・２１と、これらの両端からそれぞれ延出する左右一対のアーム部１２・１２及び２２・２２を備えたもので、上記枢軸５０は、各アーム部１２・２２の下方部分において各操作部１１・２１と略平行に配置したものである。なお、各操作部１１・２１には、その握りを容易にするために、合成ゴム等の材料によって形成した滑り止めが一体的に形成してある。
【００１７】
従って、両ハンドル１０・２０は、各操作部１１・２１を片手で持って指による操作を行えば、各ハンドル１０・２０が枢軸５０を中心に回動するから、図１に示した開放状態と、図２に示した閉止状態とに自由に操れるのであり、開閉自在なものとなっているのである。この場合の開閉とは、各ハンドル１０・２０の枢軸５０を中心とする回動を言うものであり、図１中の矢印は、各ハンドル１０・２０を開放する方向を示している。
【００１８】
さて、一方のハンドル１０におけるアーム部１２の先端をみてみると、図１に示したように、線材１０ａの図示下部を、このハンドル１０の回動方向側に略８０°程度に一旦折曲してから、今度は枢軸５０と平行な方向に略環状に折曲してある。これにより、このハンドル１０の各アーム部１２の先端には、環状折曲部分による受承部３０が形成されるのであり、この受承部３０の受承面は各アーム部１２に対して約８０°、すなわち略直交した状態になっていて、この受承部３０の中心には、後述するように、レトルトパウチ２００の一部が入り込む開口が形成されていることになるものである。
【００１９】
また、他方のハンドル２０におけるアーム部２２の先端をみてみると、図２に示したように、線材２０ａの枢軸５０が通っている下部を、このハンドル２０の回動方向側に略８０°程度一旦折曲してから、先端を枢軸５０と平行に折曲して、端部が突起状のものとなるようにしてある。突起状のものは、一方のハンドル１０側に形成してある受承部３０の上記開口内に回動して嵌入する挟み込み部４０となるものである。
【００２０】
すなわち、この挟み込み部４０は、両ハンドル１０・２０を図１中の矢印とは反対方向、つまり閉止方向に回動させたとき、丁度受承部３０内に入り込むものであり、本実施形態の図ではないが、後述する請求項３に係るはさみ具１００を説明するのに使用する図７に示すように、受承部３０が形成する受承面から内方に嵌入することになるものである。従って、図２に示したように、このはさみ具１００を使用してレトルトパウチ２００の端部を挟み込んだとき、このレトルトパウチ２００は、図７に示したように、その端部が受承部３０及び挟み込み部４０によってしっかりと保持されて、はさみ具１００に対する十分な摩擦抵抗を有した状態のものになるのである。
【００２１】
なお、これらの受承部３０及び挟み込み部４０は、図１に示したのとは逆に、それぞれ他方のハンドル２０及び一方のハンドル１０側に設けるようにして実施してものよいものであり、また挟み込み部４０は、これを受承部３０より大きい略環状のものに折曲することにより、受承部３０の外側に位置するものとなるように実施してもよいものである。
【００２２】
以上の通りのはさみ具１００であるから、これにより熱湯の中のレトルトパウチ２００を取り出すには、各ハンドル１０及び２０を図１に示したように開放状態にしてから、その各受承部３０をレトルトパウチ２００の端部の例えば下側に挿入して、そのまま両ハンドル１０・２０を閉じればよい。そうすると、上述したように、レトルトパウチ２００の端部は、受承部３０と挟み込み部４０との共働作用によって確実に挟み込まれるから、図２に示したように、このレトルトパウチ２００を熱湯中から安全にかつ安心して取り出すことができるのである。そして、このままの状態は簡単に維持することができるのであるから、取り出したレトルトパウチ２００にハサミを入れたり、あるいはその切口を利用した破断が簡単に行えるのである。
【００２３】
図２に示したレトルトパウチ２００の取り出し時、あるいは破断や切断時においては、両ハンドル１０・２０の各操作部１１が片方の手の中に入るものであり、各操作部１１・２１が当接し合う方向が両ハンドル１０・２０の閉止方向であるから、手のひらを丸くして両操作部１１・２１を手の中に入れれば、両操作部１１・２１を強く握らなくてもその閉止状態は維持される。つまり、老人や子供のように、手の力が弱い人であっても、レトルトパウチ２００の当該はさみ具１００による挟み込み状態は十分維持することができるのであり、その後のレトルトパウチ２００の方向を変えてレトルトパウチ２００の切断や破断作業を安全かつ安心して行うことができるのである。
【００２４】
（請求項２に係るはさみ具１００について）
図３〜図５には、請求項２に係るはさみ具１００が示してあり、このはさみ具１００は、その各アーム部１２・２２を、図３中の矢印にて示したように、相対的に摺動させるようにして、これにより、両ハンドル１０・２０の相対的な開閉を行うようにしたものである。なお、このはさみ具１００の上記請求項１に係るはさみ具１００と共通する部材については、図面中に同一符号を付して省略することがある。
【００２５】
そして、このはさみ具１００の一方のハンドル１０についてみてみると、この一方のハンドル１０は、一本の線材１０ａを略コ字状に折曲して、その図３の図示上端に、例えば合成樹脂等を材料として形成した操作部１１を一体化したものであり、この操作部１１の両側面に他方のハンドル２０側のアーム部２２を収納する案内溝１３を形成したものである。この実施形態では、各案内溝１３内に当該ハンドル１０を構成しているアーム部１２が延出させてあるが、操作部１１内にモールドして実施してもよい。そして、各案内溝１３の方向は、アーム部１２の延出方向、つまり両ハンドル１０・２０の開閉方向と一致させてある。
【００２６】
他方のハンドル２０は、一方のハンドル１０側の操作部１１と同様な材料によって形成した操作部２１と、この操作部２１の両端から下方に垂下する一対のアーム部２２とからなる略コ字状のものであり、その各アーム部２２を、一方のハンドル１０側の操作部１１に形成した各案内溝１３内に摺動可能に係合させて、一方のハンドル１０に対する一体化と、前述した開閉操作が行えるようにしたものである。なお、図３中の下方への矢印は、他方のハンドル２０側のアーム部２２を一方のハンドル１０に対して下げている方向を示すもので、この場合には両ハンドル１０・２０の閉止を行うものであり、上方への矢印はこれとは反対に両ハンドル１０・２０の開放を行う状態を示しているものである。
【００２７】
そして、両ハンドル１０・２０の各アーム部１２・２２の下端には、その各対向する当接面に、多数の凹部と、これに嵌合し得る多数の凸部とを形成した挟み片６０が一体化してある。すなわち、両挟み片６０は、両ハンドル１０・２０が閉止されたときに、図４及び図５に示したように、完全に当接し合うものであり、両ハンドル１０・２０が開放されたときには、図３に示したように、互いに離隔するものである。
【００２８】
各挟み片６０の当接面に形成した凸部及び凹部は、本実施形態においては、断面が山形の直線状の突条、及びこれらの間に位置する直線状の凹条であって、これらが挟み込み部４０及び受承部３０となるものである。勿論、これらの挟み片６０に形成してある各突条及び凹条は、それぞれ同じ形状のものであり、例えば一方のハンドル１０側の挟み込み部４０は他方のハンドル２０側の受承部３０に嵌入するものである。これにより、これら両挟み片６０によって挟み込んだレトルトパウチ２００の端部は、例えば図７に示したような波状部を多数形成した状態で保持されるのであり、レトルトパウチ２００の当該はさみ具１００による保持は安全かつ安心して行うことができるのである。
【００２９】
特に、このはさみ具１００においては、両ハンドル１０・２０を略コ字状のものとするとともに、一方のハンドル１０側の操作部１１に形成した各案内溝１３によって、他方のハンドル２０側のアーム部２２を上下方向に案内するように構成したから、図４及び図５に示したように、一方のハンドル１０側の操作部１１の図示下方に手指を簡単に入れることのできるものとすることができるだけでなく、両ハンドル１０・２０の開閉操作を片手でも十分行うことができるのである。従って、このはさみ具１００によってレトルトパウチ２００の端部を挟み込んだときの状態を、図４に示したような自然の状態の手指によって維持することができるのであり、また、図５に示すように、別の手で持ったハサミによるレトルトパウチ２００の切断を、当該はさみ具１００を持った手側に負担をかけることなく行うことができるのである。
【００３０】
（請求項３に係るはさみ具１００について）
図６及び図７には、請求項３に係るはさみ具１００が示してあるが、このはさみ具１００の、上記各実施形態において説明した共通部材については、図６または図７中に同一符号を付して、その詳細な説明を省略することがある。
【００３１】
このはさみ具１００の、上述した各はさみ具１００と異なる点は、まずその一方のハンドル１０側の操作部１１を、合成樹脂等を材料として略環状のものとして形成するとともに、図６に示したように、この操作部１１の略中央から上方にかけて延在する案内溝１３を形成して、この案内溝１３内に、図６及び図７に示したように、他方のハンドル２０側の操作部２１の両端及び上縁を摺動自在に嵌合したことである。すなわち、他方のハンドル２０側の操作部２１は、一方のハンドル１０側の操作部１１に形成した案内溝１３内にて常に案内されるようにしたものであり、これにより、両ハンドル１０・２０は互いに開閉自在なものとしてあるのである。
【００３２】
そして、一方のハンドル１０側の操作部１１下端には、図６に示すように、先端（図示下端）に挟み込み部４０を形成したアーム部１２が一体的に固着してあり、挟み込み部４０は操作部１１に対して位置を変えないものとしてある。これに対して、他方のハンドル２０側のアーム部２２は、その上端を操作部２１の中央下端に一体化したものであり、このアーム部２２は、図７に示したように、一方のハンドル１０側の操作部１１の下縁略中央に形成した案内部１４から下方に突出するようにしてある。そして、このアーム部２２の下端には、上記挟み込み部４０に対して進退することになる受承部３０が一体的に形成してある。勿論、この受承部３０を一方のハンドル１０側に一体化して、挟み込み部４０を他方のハンドル２０側に一体化するように実施してもよいことは当然である。
【００３３】
このはさみ具１００によるレトルトパウチ２００の挟み込みは、図７に示したように、他方のハンドル２０側の操作部２１を一方のハンドル１０側の操作部１１の上縁側へ引き上げることにより、レトルトパウチ２００の端部を受承部３０及び挟み込み部４０によって挟み込むことによりなされる。この場合、レトルトパウチ２００の端部には、図７中に仮想線で示したレトルトパウチ２００のように、一つの波状部が形成されるのであり、これにより、受承部３０及び挟み込み部４０に対する摩擦力が増大されて、当該はさみ具１００によるレトルトパウチ２００の挟み込みを安定した状態で行うことになるものである。
【００３４】
この請求項３に係るはさみ具１００は、例えば図８に示したようにしても実施される。すなわち、図８に示したはさみ具１００では、他方のハンドル２０側のアーム部２２が左右二本のものとしてあり、これらのアーム部２２をそれぞれ案内する案内部１４は、一方のハンドル１０側の操作部１１の下縁に左右一対のものとして形成したものである。このようにすれば、他方のハンドル２０側の操作部２１の、一方のハンドル１０側の操作部１１に対する案内を、案内溝１３だけの案内に頼らずに常に安定した状態で行うことができるものである。なお、この図８に示したはさみ具１００では、一方のハンドル１０側のアーム部１２の下端に受承部３０を一体的に形成し、この受承部３０に対して進退することになる挟み込み部４０を、他方のハンドル２０側の両アーム部２２の下端に一体化したものである。
【００３５】
この請求項３に係るはさみ具１００は、さらに図９に示したような形態でも実施することができる。すなわち、図９のはさみ具１００では、他方のハンドル２０側における操作部２１とアーム部２２とを別体のものとして、これらの操作部２１とアーム部２２とを、一方のハンドル１０側の操作部１１内にて案内されるワイヤー８０によって連結したものである。勿論、他方のハンドル２０側のアーム部２２の図示上下方向の動きを安定化させるために、このアーム部２２は、一方のハンドル１０側の操作部１１の下端に一体化した案内部１４によって案内するようにしている。このようにすれば、一方のハンドル１０側の略環状の操作部１１を構成している下縁と、他方のハンドル２０側の操作部２１との間に、手指の挿入を容易に行えるようにする大きな空間を形成できるから、各操作部１１・２１の手指操作による両ハンドル１０・２０の開閉をより容易に行えるようにできるものである。
【００３６】
（請求項４に係るはさみ具１００について）
このはさみ具１００は、上記実施形態で示した各はさみ具１００について、両ハンドル１０・２０間に、両者の開放方向または閉止方向に対する操作を容易にするために、弾発手段７０を介装したものである。
【００３７】
具体的には、この弾発手段７０は、図２に示したように、両端が各アーム部１２・２２に掛装されて、つるまき部を枢軸５０上に取付けた「つるまきばね」が採用される。このような、「つるまきばね」である弾発手段７０を採用すれば、図２に示したはさみ具１００における両ハンドル１０・２０の開放方向または閉止方向に対する付勢力を簡単に付与することができるのであり、これにより、開閉操作の一方を当該弾発手段７０によって自然に行えるようにすることができて
、レトルトパウチ２００の挟み込み操作をより一層簡単に行うことができるものである。
【００３８】
また、この弾発手段７０として、図４、図６及び図８に示したようなコイルスプリングを採用して、これを各図に例示したように両ハンドル１０・２０間に掛装して実施してもよい。これによっても、両ハンドル１０・２０間の開閉操作をより一層簡単に行えるようにすることができるものである。
【００３９】
【発明の効果】
以上の各実施形態において例示した如く、請求項１に係る発明においては、
「食品が入ったままのレトルトパウチ２００の端部を挟んで熱湯内からの取出し等を行うためのはさみ具１００であって、
レトルトパウチ２００の端部を受ける受承部３０と、この受承部３０内に入り込むかまたは受承部３０の外側に位置することにより、レトルトパウチ２００の端部の受承部３０に対する挟み込みを行う挟み込み部４０とを備え、
これらの挟み込み部４０及び受承部３０を一対のハンドル１０・２０にそれぞれ一体化して、これらのハンドル１０・２０を開閉することにより、レトルトパウチ２００の端部の挟み込み操作が行えるようにし、
さらに、各ハンドル１０・２０を一本の線材１０ａ・２０ａを折曲することにより、手の中に入る操作部１１・２１と、これら各操作部１１・２１の両端から延出する左右一対のアーム部１２・２２とを備えた略コ字状のものとし、かつこれら各ハンドル１０・２０を各アーム部１２・２２の一部にて操作部１１・２１と略平行な枢軸５０により枢着して開閉自在なものとし、
一方のハンドル１０の各アーム部１２の先端を略環状に折曲することによりこのアーム部２０と略直交する受承部３０を形成するとともに、
他方のハンドル２０における各アーム部２２の先端を折曲することにより、環状の受承部３０内に回動して入り込む挟み込み部４０を一体的に形成したこと」
にその構成上の特徴があり、これにより、老人や子供のような力の弱い人であっても、熱くて重量のあるレトルトパウチの取り扱いを安全かつ安心して行え、両ハンドル１０・２０の略全体を、簡単に入手できる線材１０ａ及び２０ａによって形成することができるから、簡単に製造することができるはさみ具を提供することができるのである。
【００４０】
（削除）
【００４１】
また、請求項２に係るはさみ具１００によれば、互いに当接する面に受承部３０及び挟み込み部４０を形成した挟み片６０を採用しているから、構成をより簡略化できて挟み込みをより確実に行うことができるのである。
【００４２】
さらに、請求項３に係るはさみ具１００によれば、当該はさみ具１００を扱う手の周囲を一方のハンドル１０側の略環状に形成した操作部１１によって覆うことができるから、当該はさみ具１００の使用をより安心して行うことができるのである。
【００４３】
そして、請求項４に係るはさみ具１００によれば、上記請求項１〜請求項３に係るはさみ具１００とそれぞれ同様な効果を発揮することができる他、請求項１〜請求項３に係る各はさみ具１００における両ハンドル１０・２０の開閉操作をより一層簡単に行うことができるのである。
【図面の簡単な説明】
【図１】請求項１に係るはさみ具を示すもので、両ハンドルを開放した状態の斜視図である。
【図２】同はさみ具の両ハンドルを閉止することによってレトルトパウチを挟み込んで持ち上げた状態の斜視図である。
【図３】請求項２に係るはさみ具を示すもので、両ハンドルを開放した状態の斜視図である。
【図４】同はさみ具の両ハンドルを閉止することによってレトルトパウチを挟み込んで持ち上げた状態の斜視図である。
【図５】同はさみ具によってレトルトパウチを挟み込んで持ち上げて、ハサミによるレトルトパウチの切断を行おうとしている状態の斜視図である。
【図６】請求項３に係るはさみ具を示すもので、両ハンドルを開放した状態の斜視図である。
【図７】同はさみ具によってレトルトパウチを挟み込んだ状態の拡大縦断面図である。
【図８】同はさみ具の他の実施形態を示すもので、他方のハンドル側のアーム部を二本にした場合の正面図である。
【図９】同はさみ具のさらに他の実施形態を示すもので、他方のハンドル側の操作部とアーム部とをワイヤーによって連結した場合の正面図である。
【図１０】本発明をなす前に試作したはさみ具を使用してレトルトパウチをつかんでいる状態を示した斜視図である。
【符号の説明】
１００  はさみ具
１０  一方のハンドル
１０ａ線材
１１  操作部
１２  アーム部
１３  案内溝
１４  案内部
２０  他方のハンドル
２０ａ線材
２１  アーム部
２２  ハンドル
２２ａスライド部
３０  受承部
４０  挟み込み部
５０  枢軸
６０  挟み片
７０  弾発手段
８０  ワイヤー
２００  レトルトパウチ
【図１】
0003697744.tif 000002
【図２】
0003697744.tif 000003
【図３】
0003697744.tif 000004
【図４】
0003697744.tif 000005
【図５】
0003697744.tif 000006
【図６】
0003697744.tif 000007
【図７】
0003697744.tif 000008
【図８】
0003697744.tif 000009
【図９】
0003697744.tif 000010
【図１０】
0003697744.tif 000011